(57)【要約】【課題】低コストで容易に挿設され得、且つ構築物を安定に支持し易い杭構造体の提供【解決手段】杭構造体１は、先細打込端部２４，１５，２４を下端に構築物支持部４０を上端に備えると共に、周方向に間隔をおいて形成された複数の側縁部２５，２５の夫々に円弧状案内部３０，３０を備え、円弧状案内部の上端３５，３５が地面Ｅ上に露出する状態で先細打込端部が地中に打込まれるアンカー杭２と、夫々が予め正円弧状に形成された複数の円弧状補助杭３，３で、アンカー杭の先細打込み端部が地中に打込まれている際に、夫々が該アンカー杭の対応する円弧状案内部の上端露出部に下端側で係合され、該円弧状案内部に沿って下方に案内されつつ地中に打込まれ、該円弧状案内部の円弧状経路３４，３４を延長した円弧状経路Ｃ１に沿って下方程外側に離れるように個別に地中に打込まれる正円弧状長尺体５０，５０からなるものとを有する。【選択図】図１
2007262686.tif 000002
【特許請求の範囲】
【請求項１】
先細打込み端部を下端に構築物支持部を上端に備えると共に、周方向に間隔をおいて形成された複数の側縁部の夫々に円弧状案内部を備え、円弧状案内部の上端が地上に露出する状態で先細打込み端部が地中に打込まれるアンカー杭と、
夫々が予め正円弧状に形成された複数の円弧状補助杭であって、前記アンカー杭の先細打込み端部が地中に打込まれている際に、夫々が該アンカー杭の対応する円弧状案内部の上端露出部に下端側で係合され、該円弧状案内部に沿って下方に案内されつつ地中に打込まれ、該円弧状案内部の円弧状経路を延長した円弧状経路に沿って下方程外側に離れるように個別に地中に打込まれる正円弧状長尺体からなるものと
を有する杭構造体。
【請求項２】
円弧状補助杭がアンカー杭の円弧状案内部との間に遊びがある状態で該円弧状案内部に係合され、且つ上端部において該円弧状案内部に対して相対動可能に係止される請求項１に記載の杭構造体。
【請求項３】
円弧状案内部は、該円弧状案内部の上端よりも上方に該円弧の中心が位置するように偏心した円弧形状を有する請求項１又は２に記載の杭構造体。
【請求項４】
補助杭が該補助杭の円弧の中心角でみて３０度以下の角度範囲に亘って円弧状に延在している請求項１から３までのいずれか一つの項に記載の杭構造体。
【請求項５】
アンカー杭の打込み位置を規定すべく、アンカー杭の打込み前に上端部が地面から突出する状態で地中に打込まれる細長く真直ぐな棒の形態の基準杭を更に有し、
前記アンカー杭が前記基準杭のまわりに嵌合される管状部を中央に備え、基準杭が打込まれた状態で、該アンカー杭がその中央の管状部において基準杭に嵌合・案内されて所定位置に打込まれるように構成された請求項１から４までのいずれか一つの項に記載の杭構造体。
【請求項６】
アンカー杭が前記円弧状案内部を周方向に間隔をおいて三個以上備える請求項１から５までのいずれか一つの項に記載の杭構造体。
【請求項７】
補助杭が横断面円形で先端の尖ったパイプの形態であり、アンカー杭の案内部は、該パイプの形態の補助杭が挿通される横断面円形で前記パイプの外径よりも大きい内径の円弧状孔を備える請求項１から６までのいずれか一つの項に記載の杭構造体。
【請求項８】
補助杭を構成するパイプは、上端部近傍の側壁に孔を備え、該孔からパイプの先端まで加圧流体送給チューブが挿通されて、該パイプの先端で開口した該チューブの先端から加圧流体が噴出するように構成される請求項１から７までのいずれか一つの項に記載の杭構造体。
【請求項９】
各補助杭が円弧状に撓んだ細長い板状体と、一側において該板状体を支え、他側においてアンカー杭の対応する案内部に係合されるように構成された細長い係合部とからなる請求項１から８までのいずれか一つの項に記載の杭構造体。
【請求項１０】
打込まれるべき場所が、畑や砂地田やこれらと同様な硬さの荒地のような軟弱地盤の土地である請求項１から９までのいずれか一つの項に記載の杭構造体。
【発明の詳細な説明】
【技術分野】
【０００１】
本発明は杭構造体に係り、より詳しくは、ビニールハウスのような簡易構築物を支えるに適した杭構造体、特に、ビニールハウスのように畑や砂地のような軟弱地盤の土地に建てられる構築物を支えるに適した杭構造体に係る。
【背景技術】
【０００２】
ビニールハウスを支える簡便な杭として螺旋杭は古くから提案されている（例えば、特許文献１）。
【０００３】
しかしながら、この螺旋杭は、螺旋により形成される円筒状部分により囲まれる円形の横断面部分の断面積が比較的小さいことから、軟弱地盤では全体として抜け抵抗が小さいだけでなく、ビニールハウス等に風等の外力を繰返し受けると、円筒状部分の全体とその周囲の土壌部分との間に弱化部分（間隙やヒビ割れ）が生じ、強風等がビニールハウスに及ぼす力により螺旋杭が円筒状部分内の土壌と共に抜けてしまう虞れがある。
【０００４】
また、テントやビニールハウス等の構築物を支える支持具に相互にねじれの位置を採る状態で一対の案内筒を斜設し、一対の支持杭を相互にねじれの位置の状態で各案内筒に挿通して打込むようにしたテント等の張設用杭構造体も提案されている（特許文献２）。
【０００５】
しかしながら、この斜設支持杭は、本質的に、相互にねじれの位置の状態を採ることから、支持具にねじり力がかかり易く、構築物に不測の力がかかる虞れがある。また、ある程度正確な位置決めを要する場合には、適さない。
【０００６】
一方、下方程外側に拡がるように湾曲した一対のアンカー部を備えた拡開アンカーは、知られている（例えば、特許文献３や特許文献４）。
【０００７】
これらの拡開アンカーでは、アンカー部が全体として湾曲形状に変形され得るように多数の切欠窓を備える必要があり、且つ二葉のアンカー部が対称に形成され得るようにアンカー部材が折曲げ形状を備える必要がある等、アンカー部材自体が複雑な形状・構造を備える必要がある。
【０００８】
類似の構造が多数提案されている前者の拡開アンカーでは、二葉のアンカー部を同時に挿設し得るようにするために、基本的に、地面に形成した竪穴の底に下端基板が達する状態に全体を挿入した後、アンカー部を押込むように打込んで、該基板の上縁に形成した湾曲案内部に沿ってアンカー部を湾曲させつつ挿設する。従って、その挿設が容易でないだけでなく、特殊な専用の打込み装置を要する等の不利益を避け難い。一方、後者の場合には、引き棒をアンカー部材の先端につないでおいてアンカー部材を湾曲形状に拡げようとするもので、引き棒の移動を許容するような特殊な用途以外には適用し難い。
【０００９】
なお、杭に特殊の内部構造を形成しておくことにより、予め竪穴を形成しておかなくても拡張アンカーを挿設し得るようにすることも提案されているけれども（特許文献５）、構造が複雑化し十分な固定強度を実現し難い虞れが高い。
【００１０】
更に、アンカーを打込む際に、アンカーが確実に円弧状経路に沿うように、円弧状軌跡を機構的に確保することも提案されている（例えば、特許文献６や特許文献７）。
【００１１】
しかしながら、複雑化した機構は、複数の方向を向いた部分を備えており、該機構の全体を地中に打込むことは実際上容易でない虞れが高い。
【００１２】
また、形状だけに着目すれば、元々円弧状をしたアンカー部材を用いること自体は提案されている（特許文献８）。
【００１３】
しかしながら、このアンカーでは、竪穴中に予め配設したものを装置本体に対して上向きに引上げる際に円弧状アンカー部が上向きに回転しながら穴の側壁中に差し込まれるもので、装置の複雑化・高コスト化を避け難く、特殊な用途に限られる。
【００１４】
更に、四方向に同時にアンカー部を延ばすようにすることも提案されている（特許文献９）。しかしながら、このアンカーでは、竪穴内に配設した装置の先端において、水平面内でアンカー部を回転させて穴の側壁内に挿設しようとするもので、予め竪穴を設けておくことが不可欠であるだけでなく、アンカーの全体の構造の複雑化・高コスト化を避け難い。
【特許文献１】実公平４−１６９８５号公報
【特許文献２】実開平４−４１５７号公報
【特許文献３】特開２０００−１４４７３１号公報
【特許文献４】特開平６−１３６７４９号公報
【特許文献５】実開昭５４−４４６号公報
【特許文献６】特公昭４５−３８７８４号公報
【特許文献７】実開平２−１２５０３９号公報
【特許文献８】特公平１−２１２８９号公報
【特許文献９】特公昭６１−４２０４８号公報
【発明の開示】
【発明が解決しようとする課題】
【００１５】
本発明は、前記諸点に鑑み成されたものであって、その目的とするところは、低コストで容易に挿設され得、且つ構築物を安定に支持し易い杭構造体を提供することにある。
【課題を解決するための手段】
【００１６】
本発明の杭構造体は、前記目的を達成すべく、先細打込み端部を下端に構築物支持部を上端に備えると共に、周方向に間隔をおいて形成された複数の側縁部の夫々に円弧状案内部を備え、円弧状案内部の上端が地上に露出する状態で先細打込み端部が地中に打込まれるアンカー杭と、夫々が予め正円弧状に形成された複数の円弧状補助杭であって、前記アンカー杭の先細打込み端部が地中に打込まれている際に、夫々が該アンカー杭の対応する円弧状案内部の上端露出部に下端側で係合され、該円弧状案内部に沿って下方に案内されつつ地中に打込まれ、該円弧状案内部の円弧状経路を延長した円弧状経路に沿って下方程外側に離れるように個別に地中に打込まれる正円弧状長尺体からなるものとを有する。
【００１７】
本発明の杭構造体では、「夫々が予め正円弧状に形成された複数の円弧状補助杭であって、夫々がアンカー杭の対応する円弧状案内部の上端露出部に下端側で係合され、該円弧状案内部に沿って下方に案内されつつ地中に打込まれ、該円弧状案内部の円弧状経路を延長した円弧状経路に沿って下方程外側に離れるように個別に地中に打込まれる正円弧状長尺体からなるもの」を有するので、補助杭を一本づつ打込めばよいから、補助杭の打込みが容易に行われ易い。また、本発明の杭構造体では、予め正円弧状に形成された複数の円弧状補助杭をアンカー杭の円弧状案内部に沿って打込むようにしているので、補助杭の打込みに際して、補助杭をアンカー杭により撓ませる必要がないから、補助杭の打込みに要する力を最低限に抑え得る。なお、本発明の杭構造体では、下方程外側に離れる円弧状経路の延長部に沿って円弧状補助杭が挿設されるので、補助杭が抜け難い拡開アンカーとして機能し得る。また、各補助杭が予め正円弧状に湾曲しているので、打込みに際して、各補助杭が相互に邪魔になる（干渉する）虞れを避けつつ、中心に対して半径方向に配置し得、アンカー杭にねじり力がかかる虞れがない。なお、補助杭の長さを比較的大きくすることにより、補助杭の湾曲の曲率を最低限にし得るから、補助杭の湾曲が補助杭の打込みの支障になることは実際上ない。
【００１８】
また、本発明の杭構造体では、「先細打込み端部を下端に構築物支持部を上端に備えると共に、周方向に間隔をおいて形成された複数の側縁部の夫々に円弧状案内部を備え、円弧状案内部の上端が地上に露出する状態で先細打込み端部が地中に打込まれるアンカー杭」が設けられるので、補助杭の打込み前に先細打込み端部が地中に打込まれる該アンカー杭によって、補助杭の打込み位置が規定されるから、位置決めが確実に行われ得る。
【００１９】
本発明の杭構造体において、円弧状案内部は、補助杭が案内されるべき円弧状経路を規定し得る限りどのようなものでもよく、例えば、円弧状の孔（又は該円弧状孔を形成する円弧状湾曲パイプ等）であっても、円弧状経路を規定する縁部を備えた部材であっても、複数の部材の間隙が全体として円弧状経路を規定するようになっていてもよい。
【００２０】
本発明の杭構造体において、円弧状案内部が設けられるアンカー杭の「側縁部」とは、アンカー杭の側部のうち端の方であることをいい、必ずしもアンカー杭の側部の端縁であることを要しない。すなわち、例えば、アンカー杭の側部の端縁に上下方向（鉛直方向）に延びた筒状体が設けられ、該筒状体の上下方向（鉛直方向）孔ないし空洞内に円弧状経路を規定する部材が配設されていてもよい。その場合、円弧状経路を規定する部材が円弧状孔を形成していてもよいけれどもその代わりに実際上正円弧状に湾曲した実質的に剛性の補助杭用の長尺体（剛性の比較的高い弾性体であってもよい）が挿通される場合該補助杭の複数箇所の位置が規制されることにより実質的に円弧状に案内されるようになっていてもよい。
【００２１】
本発明の杭構造体では、複数の補助杭が個別にアンカー杭の対応する円弧状案内部に案内されて打込まれるように構成されているので、補助杭及びアンカー杭の両方の構造を単純化し得るからそのコストを最低限に抑え得る。
【００２２】
本発明の杭構造体において、円弧状補助杭が円弧状案内部に対して実際上摺動する如く円弧状案内部の円弧状孔の如き円弧状経路を規定する壁部に丁度嵌合されるようになっていてもよいけれども、本発明の杭構造体では、典型的には、円弧状補助杭がアンカー杭の円弧状案内部の円弧状孔の如き円弧状経路を規定する壁部との間に遊びがある状態で該円弧状案内部に係合され、且つ上端部において該円弧状案内部に対して相対動可能に係止される。
【００２３】
その場合、補助杭が円弧状案内部を挿通され易いだけでなく、アンカー杭の振動が補助杭に伝わり難く、逆に補助杭が振動してもその振動がアンカー杭に伝わり難い。従って、例えば、アンカー杭の上端の構築物支持部にビニールハウスの如き構築物の支柱等が取付けられた状態でビニールハウスの如き構築物に強風等による力が不規則的に且つ断続的に加えられることによりビニールハウスの如き構築物が振動しても、その振動が補助杭に伝わり難い。従って、地中において補助杭のまわりに土壌の弱化部分が生じる虞れが最低限に抑えられ得る。また、補助杭と円弧状案内部との間の間隙がビニールハウスの如き構築物に対する免震構造として働き得るので、地震等の場合にも、ビニールハウスの如き構築物が過度に振動する虞れが少なく、且つ地震等の場合におけるビニールハウスの如き構築物の振動によって補助杭と土壌との間に隙間等の弱化部分が生じる虞れが少ない。
【００２４】
なお、本発明の杭構造体において、補助杭に関して「相対動可能に係止」とは、例えば、補助杭の上端部をピン等により回動可能にアンカー杭の円弧状案内部に取り付けた状態をいう。この場合、ピンはある程度のガタを許容するように孔に対して多少小径でもよい。
【００２５】
本発明の杭構造体では、典型的には、円弧状案内部は、該円弧状案内部の上端よりも上方に該円弧の中心が位置するように偏心した円弧形状を有する。円弧を含む仮想円がアンカー杭の中心軸線に過度に近接するのを避けるべく、偏心の程度は小さく、典型的には、半径の１０〜２０％程度以下である。
【００２６】
その場合、補助杭の打込みに際して、円弧状案内部は下方程アンカー杭の中心軸線から離れるような末広がりの形状を有するので、該円弧状案内部に案内されて打込まれる補助杭が木の根の如く横に張り出して、引抜抵抗を高め得る。
【００２７】
本発明の杭構造体では、典型的には、補助杭が該補助杭の円弧の中心角でみて３０度以下の角度範囲に亘って円弧状に延在している。
【００２８】
その場合、補助杭の打込みに際して、補助杭が実際上直線状であるとみなし得るので、補助杭の打込みが案内部の湾曲によって支障を受ける虞れが少ない。なお、アンカー杭の円弧状案内部は補助杭よりも小さい範囲にわたって円弧状に延びるので、補助杭の打込みに際してはほぼ直線状とみなし得る。但し、補助杭の機械的強度が大きく曲がり難い場合には、補助杭が該補助杭の円弧の中心角でみて３０度以上の角度範囲にわたって延びていてもよい。
【００２９】
本発明の杭構造体において、アンカー杭が直接単独で地中に打込まれてもよいけれども、好ましくは、アンカー杭の打込み位置を規定するために、基準杭が用いられる。すなわち、本発明の杭構造体では、典型的には、アンカー杭の打込み位置を規定すべく、アンカー杭の打込み前に上端部が地面から突出する状態で地中に打込まれる細長く真直ぐな棒の形態の基準杭を更に有し、前記アンカー杭が前記基準杭のまわりに嵌合される管状部を中央に備え、基準杭が打込まれた状態で、該アンカー杭がその中央の管状部において基準杭に嵌合・案内されて所定位置に打込まれるように構成される。なお、アンカー杭の中央の管状部の先端は、所望ならば、先細のテーパ状に面取りされていてもよい。
【００３０】
その場合、基準杭によりアンカー杭の位置を正確に確定した上で、該アンカー杭により補助杭の位置を正確に確定し得る。ここで、基準杭は、典型的には、細長い直線状ないし棒状体からなる。棒状体は、典型的には、中実な棒からなり、直線状に打込まれ易いように典型的にはその長手方向に延在したフィンないしリブ状部を外周の数箇所に周方向に間隔をおいて備える。基準杭は細長いので、その打込みは容易且つ確実に行われ得る。但し、フィンないしリブ状部等はなくてもよい。また、基準杭に位置決めされ案内された状態でアンカー杭を打込めばよいので、アンカー杭の打込みも容易且つ確実に正確に行われ得る。
【００３１】
本発明の杭構造体において、形状や構造の簡単さの観点ではアンカー杭は前記円弧状案内部を対称な二箇所に備えるのが好ましいけれども、所望ならば、アンカー杭が前記円弧状案内部を周方向に間隔をおいて三個以上備えていてもよい。
【００３２】
後者の場合、一本の杭構造体が強固な基礎を形成し得る。但し、前者の場合でも、隣接する杭構造体の中心軸線のまわりでの向きを変えることにより、全体として、方向によらず強固な支持を与え得る基礎になり得る。本発明の杭構造体では、三個以上の案内部が形成される場合であっても、該案内部が円弧状であり且つ補助杭を構成する長尺体が正円弧状に湾曲しているので、相互に干渉する虞れがない。また、本発明の杭構造体では、三個以上の案内部を設ける場合であっても、円弧状案内部を、楔形板状部の如き板状体の側縁に直接又は間接的に形成すればよいので、アンカー杭の打込み抵抗の増大を最低限に抑え得る。更に、本発明の杭構造体では、補助杭が個別に打込まれるので、補助杭の本数を増やすために単に打込み回数を増やせばよく、補助杭を纏めて同時に打込む従来技術と異なり打込み力を高める必要がない。従って、アンカー杭のコスト増を許容できる場合、補助杭の本数の増加は容易に行われ得、引抜抵抗のより高い安定な支持も可能になる。
【００３３】
本発明の杭構造体では、典型的には、補助杭が横断面円形で先端の尖ったパイプの形態であり、アンカー杭の案内部は、該パイプの形態の補助杭が挿通される横断面円形で前記パイプの外径よりも大きい内径の円弧状孔を備える。
【００３４】
その場合、補助杭は、アンカー杭のうち円弧状案内部の横断面円形の円弧状孔に挿通・案内されることにより、所定の位置及び向きで打込まれ得る。なお、この場合、補助杭は、横断面円形の中実な長尺体であってもよい。また、補助杭は、場合によっては、横断面が円形の代わりに矩形（長方形又は正方形）でもよく、その場合、円弧状案内部の孔の横断面も矩形に形成される。横断面矩形の補助杭は、中実であっても、中空（管ないしパイプ）であってもよい。
【００３５】
なお、前述のように、円弧状案内部が、円弧状に湾曲したパイプの代わりに、例えば、アンカー杭の側部の端縁に上下方向（鉛直方向）に延びた筒状体を含んでいてもよい。その場合、前述のように、鉛直方向延在筒状体の上下方向（鉛直方向）孔ないし空洞内に円弧状経路を規定する部材が配設されてればよい。また、その場合、前述のように、円弧状経路を規定する部材が円弧状孔を形成していてもよいけれどもその代わりに実際上正円弧状に湾曲した実質的に剛性の補助杭用の長尺体（剛性の比較的高い弾性体であってもよい）が挿通される場合該補助杭の複数箇所の位置が規制されることにより実質的に円弧状に案内されるようになっていてもよい。
【００３６】
補助杭がパイプの形態である場合、本発明の杭構造体では、典型的には、補助杭を構成するパイプは、上端部近傍の側壁に孔を備え、該孔からパイプの先端まで加圧流体送給チューブが挿通されて、該パイプの先端で開口した該チューブの先端から加圧流体が噴出するように構成される。
【００３７】
その場合、地盤が比較的固い場合であっても、補助杭が打込まれるべき地中の土壌が加圧流体によって除去されつつ補助杭の打込みが行われるので、補助杭の打込みが容易に行われ得る。なお、本発明の杭構造体が打込まれるべき土地がよく耕された畑のような軟弱地盤の場合、逆に、補助杭を構成する長尺体は、中実な棒状体でもよい。また、地盤が軟弱な場合、長尺体としては、ある程度幅のあるもの、例えば、狭幅の板状体（細長い板状体、例えば剛性の比較的高い板ばねの如きもの）等が選択され得、アンカー杭もそれに応じた構造のものが選択される。
【００３８】
すなわち、本発明の杭構造体において、長尺体は、典型的には、棒（中空又は中実）状であるけれども、場合によっては、細長い板状でもよい。本発明の杭構造体において、補助杭を構成する長尺体は、細長い一本の棒（中実又は中空）である代わりに、細長い板状部を備えていてもよく、所望ならば、各補助杭が円弧状に撓んだ細長い板状体と、一側において該板状体を支え、他側においてアンカー杭の対応する案内部に係合されるように構成された細長い係合部とからなっていてもよい。補助杭の係合部及びアンカー杭の対応案内部との係合は、特別の係合・被係合形状部からなっていても、その代わりに、板状体の表面自体が係合部として働き、アンカー杭の案内部が該板状体を円弧状経路に沿って位置決め・規制するように該板状体表面に当接可能な表面部分を適宜の箇所に備えていてもよい。その場合でも、好ましくは、円弧の外周側には円弧状表面があることが好ましい。
【００３９】
その場合、細長い板状部が打込みの際に地中において横方向（水平方向）に拡がろうとするので、補助杭による固定強度を高め易い。
【００４０】
なお、本発明の杭構造体において、案内部を構成する部材は、内部に正円弧状の案内路を形成し得る限り、該案内部材が正円弧状に撓んだような外形を備えていても、その代わりに、上下方向に直線状に延びた外表面形状を備えていてもよい。後者の場合、アンカー杭の打込みが容易に行われ易い。
【００４１】
本発明の杭構造体において、典型的には、アンカー杭は、中央部に基礎杭として働く鉛直方向延在大径部材（横断面は典型的には円形であるけれども矩形等他の形状でもよい）と、側縁部に位置する複数の案内部材と、該大径部材と各案内部材とをつなぐべく放射状に（少なくとも二方向に）延びた板状部とを備える。板状部の側縁が、円弧状案内部を直接的に（例えば鉛直方向延在筒状体とその内部の位置規制部（板状部の円弧状側縁を含む）とからなる場合）又は間接的に（例えば、円弧状パイプの場合の円弧状孔）規定する。板状部は、典型的には、アンカー杭の中央部に近接する程下方に突出した楔形前縁（下縁）を備えた楔形形状を有する。この場合、筒状体の下端も、楔形形状（アンカー杭の中央部に近接する程下方に突出した楔形前縁）を有していてもよい。また、各縁部の筒状体が一本である代わりに、鉛直方向下方程中心軸線から離れた位置に配置された複数本の短い鉛直方向延在筒状体からなっていてもよい。
【００４２】
本発明の杭構造体では、典型的には、打込まれるべき場所が、畑や砂地田やこれらと同様な硬さの荒地のような軟弱地盤の土地である。その場合、補助杭が湾曲していても補助杭の打込みが比較的容易に行われ易い。構築物がテントである場合、場合によっては、グランド（運動場）のような比較的硬い土地であってもよい。
【発明を実施するための最良の形態】
【００４３】
本発明の好ましい実施の形態のいくつかを添付図面に示した好ましい実施例に基づいて説明する。
【実施例】
【００４４】
図1には、本発明による好ましい一実施例の杭構造体１が、地中Ｅ１に打込まれた状態で示され、図２の（ａ）及び（ｂ）並びに図３の（ａ）〜（ｃ）には、該杭構造体１を構成する部品であるアンカー杭２及び補助杭３が示されている。以下の説明において、杭構造体１は、畑や砂地田のような比較的軟弱な地盤に建てられるビニールハウス用の基礎杭であるとする。
【００４５】
杭構造体１は、アンカー杭ないしアンカープレート杭２と、二本の補助杭３ａ，３ｂとを有する。二本の杭３ａ，３ｂは同一の形状及び構造であり、両者を相互に区別しないとき又は総称するときは、添字ａ，ｂを省いて、符号３で示す。
【００４６】
アンカー杭２は、図１及び図２からわかるように、アンカー杭本体４と、補助杭案内部３０ａ，３０ｂ（相互に区別しないとき又は総称するときは、添字ａ，ｂを省いて、符号３０で示す、以下同）と、構築物支持部としての上端支持板部４０とを有する。アンカー杭本体４は、中心軸線Ｃに沿って上下方向に延在する基礎杭部ないし中央管状部１０と、該中央管状部１０の両側に対称に形成された杭体部２０ａ，２０ｂ（相互に区別しないとき又は総称するときは、符号２０で示す、他の符号についても以下同）とを有する。
【００４７】
杭体部２０は、この例では、概ね四角形状を有する楔形の板状体からなる。この板状杭体部２０の四角形状は、直線状の上下方向長縁部２１と、該上下方向長縁部２１の上端から外向きに延びた直線状の水平方向上縁部２２と、該水平方向上縁部２２の外端から下方程外側に位置するように傾斜し且つ外向きに湾曲して延在した湾曲外縁部２３と、該湾曲外縁部２３の下端から前記上下方向長縁部２１の下端まで延びと該上下方向長縁部２１に対して鋭角で斜交した楔形前縁部２４とによって規定されている。なお、図１の斜視説明図で示した例の場合、図２の（ｂ）において想像線２３ｉ，２３ｉで示したように、湾曲外縁部２３の上部は、内向きに傾斜して上縁部２２につながっている。
【００４８】
杭体部２０は、上下方向長縁部２１において、基礎杭として働く中央管状部１０の外周面１１に固着されている。中央管状部１０の下端部１５は該中央管状部１０の中心軸線Ｃに対して垂直な平面であるかのごとく示されているけれども、中心側程下方に位置するようなテーパがつけられていてもよい。その場合、テーパ面は典型的には楔形板状部２０の前縁（下縁）部２４と実際上面一に形成される。一対の杭体部２０，２０の前縁部２４，２４及び中央管状部１０の下端部１５が全体として先細打込み端部を形成する。一対の杭体部２０ａ，２０ｂは、相互に同一平面状に位置し、夫々の内縁に位置する上下方向長縁部２１ａ，２１ｂにおいて、中央管状部１０の外周面１１の直径方向に対向する部位１２ａ，１２ｂに溶接等により固着されている。
【００４９】
同様に、杭体部２０の湾曲外縁部２３には、補助杭案内部３０が溶接等により固着されている。湾曲外縁部２３のうち補助杭案内部３０が接合された湾曲部２５は、数ｍから数１０ｍの曲率半径の円弧で、円弧の長さは、中心角で見て、例えば、１５度程度（０．２６ｒａｄ程度）である。湾曲部２５は、上端部２５ｕでは多少傾斜するだけでほぼ上下方向を向いており（即ち上端部２５ｕの接線は中心軸線Ｃにほぼ平行であり）、該上端部２５ｕから下方に至るほど中心軸線Ｃから遠ざかるように、外向きに湾曲している。
【００５０】
ガイド杭部ないし補助杭案内部３０は、中心軸線Ｃ１が数１０ｃｍから数ｍないし数１０ｍの曲率半径の円弧の形態に湾曲した円筒状パイプ３１からなり、板状杭体部２０の湾曲外縁部２３の湾曲部２５と同一形状の大径側縁部３２において、該湾曲部２５に溶接等で固着されている。ガイド杭として働く補助杭案内部３０を構成する案内パイプないしガイドパイプ３１は、外径が数ｃｍ（例えば、２〜３ｃｍ程度）で、肉厚が数ｍｍ（例えば３ｍｍ程度）の円筒管からなり、その内径はＤ１である。従って、補助杭案内部３０も、杭体部２０と同様に、数１０ｃｍから数ｍないし数１０ｍの曲率半径の円弧で１５度程度の範囲にわたって延びる。従って、図２の（ｂ）において、右側に断面で示したように、補助杭案内部３０の内周面３３は、円弧状案内孔３４を形成する。
【００５１】
補助杭案内部３０を構成するパイプ３１は、上端面３５が実際上水平に延び、下端面３６が杭体部２０の楔形前縁部２４と面一になる状態で、斜めに延びる。円弧状案内孔３４の中心軸線でもある円弧Ｃ１の中心は、パイプ３１の上端面３５よりも若干上方に位置し（例えば、円弧Ｃ１の半径の数％程度、但し１０〜２０％程度上方でもよい）、下方に末拡がりの形態である。この例では、円弧状案内部が補助杭案内部３０ないしパイプ３１からなるとみなしてもよいけれども、厳密には、円弧状案内部は、円弧状案内孔３４からなる。
【００５２】
なお、補助杭案内部３０の上端部近傍には、ピン挿通孔３８が形成されている。
【００５３】
上端支持板部４０は、この例では、突出四隅４１，４１，４１，４１が突出し、中間凹状辺部４２，４２，４２，４２が凹んだほぼ四角形の板状体４３からなる。板状体４３は、中央孔４４と四隅の孔４５，４５，４５，４５とを有する。中央孔４４には、アンカー杭本体４の中央管状部１０の上端部１３が嵌合され、溶接等により、上端支持板部４０に固着されている。また、板状体４３の中央部４６，４６には、アンカー杭本体４の杭体部２０が、水平方向上縁部２２で接合され、溶接等により固着されている。
【００５４】
上端支持板部４０は、中央孔４４を備えると共にアンカー杭本体４の補助杭案内部３０の上端３５の開口３７，３７への補助杭３，３の挿入を許容する限り、支持されるべき構築物の支持に適したどのような形状・構造を有していてもよい。
【００５５】
補助杭３は、図１及び図３からわかるように、湾曲した円筒状パイプ５０からなる。補助杭３を構成するパイプ５０の曲率半径（該パイプ５０の中心軸線Ｃ２の曲率半径）は、アンカー杭本体４の補助杭案内部３０を構成するパイプ３１の曲率半径（該パイプ３１の中心軸線Ｃ２の曲率半径）と実質的に一致している。一方、補助杭３を構成する杭パイプ５０の外径Ｄ２は、アンカー杭本体４の補助杭案内部３０を構成するパイプ３１の内径Ｄ１よりも数ｍｍ程度（例えば２〜３ｍｍ程度）小さい。従って、補助杭３がアンカー杭本体４の補助杭案内部３０に挿通・嵌合された状態において、共振防止杭として働く打込み杭である補助杭３と補助杭案内部３０との間には、多少の間隙が残る。その結果、風等の外力によりアンカー杭本体４ないし補助杭案内部３０に振動その他の外力がかかっても直ちには乃至直接的には補助杭３には該振動その他の外力が伝わらず、また、補助杭３に振動その他の外力がかかっても直ちには乃至直接的には補助杭案内部３０ないしアンカー杭本体４には該振動その他の外力が伝わらない。
【００５６】
補助杭３を構成するパイプ５０は、水平な上端面５１と、外縁５２で尖った先端部５３を与える斜めの下端面５４とを備える。パイプ５０は、更に、上端部の側壁に近傍にピン挿通孔５５を備えると共に、上部の壁部にチューブ挿入孔５６を備える。パイプ５０に加えられる打込み力に対する強度を確保するためには、チューブ挿通孔は、図３の（ｂ）において想像線５６ｉで示したように、パイプ５０の大径側壁部にあってもよい。
【００５７】
補助杭３，３がアンカー杭本体４の補助杭案内部３０，３０内に挿入されて所定深さまで打込まれた状態では、各補助杭３のピン挿通孔５５がアンカー杭本体４の対応する補助杭案内部３０のパイプ３１のピン挿通孔３８に整列し、該ピン挿通孔３８，５５にボルト６の軸部の如きピンが挿通されることにより、補助杭３がアンカー杭本体４の対応する補助杭案内部３０に対して抜け止めされる。ボルト６の突出端はナット等で抜け止めされる。これにより、補助杭３，３は、アンカー杭本体４の補助杭案内部３０，３０に対して多少の遊びのある状態で抜け止めされる。
【００５８】
補助杭３，３をアンカー杭本体４の補助杭案内部３０，３０に対して遊びのある状態で抜け止めし得る限り、抜け止め手段は、ボルト６及びナット等とピン挿通孔３８，５５との組合せの代わりに他の手段でもよい。
【００５９】
次に、以上の如き構成を有するアンカー杭１の打込みについて、説明する。
【００６０】
なお、打込み手順を説明する前に、アンカー杭１の打込みに利用されるガイドピンないし基準杭６０について、図４に基づいて、説明する。基準杭６０は、アンカー杭１の打込み位置を正確に規定する位置出し乃至位置決めのための杭であり、また、アンカー杭本体４の打込みを実際上容易化するものである。
【００６１】
基準杭６０は、図４の（ａ）及び（ｂ）からわかるように、円柱状の基準杭本体ないしガイドピン６１と、該基準杭本体６１の外周に形成された複数のフィン状部乃至リブ状部６２からなる。この例では、リブ状部６２が周方向に等間隔に三個設けられている。リブ状部６２は、細長い板を側縁で基準杭本体６１の外周の対応する部分に溶接等で固着することにより形成しても、棒状体の複数箇所を切削により除去して、リブ状部６２を形成してもよい。基準杭本体６１は、先細に尖った先端部（下端部）６３と平面状の上端面６４とを有し、各リブ状部６２は、本体６１の下端部６３の傾斜面６５に沿った先端側端面６６と、本体６１の上端面６４と実際上面一の上端面６２ｕとを有する。リブ状部６２，６２，６２の外側縁は直径Ｄ４の仮想円筒を規定し、該仮想円筒の径Ｄ４は、アンカー杭本体４の中央管状部１０の内径Ｄ３と同程度で該内径Ｄ３よりも僅かに小さい。従って、基準杭６０は、アンカー杭本体４の中央管状部１０がほぼ摺接される状態で嵌合されるような大きさを有する。なお、基準杭６０は、その中心軸線Ｃ５のまわりで回転対称な形状を有する。基準杭本体６１は、その上端部近傍に、引抜用の貫通孔Ｎを有する。
【００６２】
基準杭６０の本体６１は、外径が例えば１２ｍｍ程度で長さが４５ｃｍ程度であり、リブ部を含めた基準杭６０の外径は、例えば、２８ｍｍ程度である。
【００６３】
地面Ｅの位置Ｐにアンカー杭１を基礎杭として建てる場合、図５の（ａ）及び（ｂ）に示したように、まず、中心軸線Ｃ５が位置Ｐに一致するように、基準杭６０を地面Ｅから地中Ｅ１に打込む。
【００６４】
ここで、基準杭６０は、先端部６３が尖り且つ杭本体６１が細いのでその打込みは容易に行われ得る。また、基準杭６０は、リブ状部６２，６２，６２を備えるので、打込み力によって曲がる虞れが少ない。しかも、基準杭６０では、リブ状部６２，６２，６２が長手方向に直線状に延びるので、該基準杭６０の地中Ｅ１への打込みに際して、侵入方向がずれる虞れも少ない。
【００６５】
従って、基準杭６０は、先端部６３を位置Ｐに配置して垂直に保持した状態で、振動式杭打込機等でその上端面６４に振動を加えつつ該上端面６４をＦ１方向に叩くことにより、容易且つ確実に地中Ｅ１に所望深さまで、鉛直下向きにＦ１方向に打込まれ得る。このようにして、基準杭６０を地中Ｅ１に打込んだ状態が、図５の（ａ）及び（ｂ）に示されている。この状態では、基準杭６０は、下端部６３を含む大半の部分６７が地中Ｅ１にあり、上端側の一部部分６８が地上に露出している。
【００６６】
次に、該基準杭６０を利用して、アンカー杭２を打込む。
【００６７】
そのために、まず、基準杭６０の地上露出部６８にアンカー杭２の中央管状部１０を、下端開口部１４から嵌込み、図５の（ｃ）に示したように、アンカー杭２をその中央管状部１０の下端部１５が地面Ｅに当接する状態で地上に立てる。これにより、アンカー杭２の中心軸線Ｃが位置Ｐに一致するところに位置決めされた基準杭６０の中心軸線Ｃ５と一致する。
【００６８】
なお、図５の（ｃ）では、図示の都合上、基準杭６０の地上露出部６８の長さがアンカー杭２の長さと比較して短く示されているけれども、地上露出部６８は、アンカー杭２を安定に鉛直方向に支え得るに十分な長さに選択される。一方、基準杭６０の地中打込み部６７も、当然ながら、アンカー杭２の打込みを安定に支えると共にアンカー杭２の所定深さまでの打込みを可能にするに十分な深さまで打込まれ、それに応じた長さを備える。
【００６９】
次に、アンカー杭２の頂部の支持板４０及び中央管状部２０の上端部１３のところを振動式杭打込機等で振動を加えつつＦ１方向に叩いて、アンカー杭２を基準杭６０に案内された状態でＦ１方向に打込む。この打込みの初期段階では、図５の（ｃ）において想像線２４ｉ，２４ｉで示したように、アンカー杭２の杭本体４の楔状板状部２０，２０が楔状前縁部２４，２４からＦ１方向に打込まれるので、打ち込みは容易に行われ得る。すなわち、楔状板状部２０，２０が板状でＦ１方向に垂直な断面（水平断面）でみた断面積が比較的小さく且つ先端が楔状に傾斜しているのでアンカー杭２のＦ１方向打込みに要する力は比較的小さくてもよい。特に、ビニールハウスが建てられる地盤が、畑やその荒地である場合、その土壌は比較的軟弱であるから、打込みは容易に行われ得る。なお、中央管状部１０の外径部分は水平断面で見るとある程度の面積領域を囲むけれども、その大半の部分は既に打込みが完了した基準杭６０により占有されているので、該中央管状部１０があってもアンカー杭２の打込みに大きな力は要しない。また、中央管状部１０の内周面と基準杭６０のリブ状部６２，６２，６２の外側面とは実際上摺接する程度の小間隙しかないので、その間に土壌が詰まる虞れは少なく、特に、リブ状部６２，６２，６２の間には、凹部６９があるので、中央管状部１０のＦ１方向打込みに際して、土壌は該凹部６９に逃げる。また、該凹部６９内及びその近傍にある土壌について言えば、アンカー杭２のＦ１方向の打込みに従って板状部２０，２０の楔状前縁部２４，２４が土壌を外側に排除しながらＦ１方向に入り込み、且つ中央管状部１０が前端面１５で基準杭６０のリブ状部６２，６２，６２間の凹部６９より外側の土壌を該リブ状部６２，６２，６２の外側縁に沿って切りながらＦ１方向に進むので、凹部６０近傍の土壌の大半はむしろ外方に押しのけられる。
【００７０】
アンカー杭２が更にＦ１方向に打込まれると、アンカー杭２の補助杭案内部３０，３０が地面Ｅに接し、更に、地中Ｅ１に押込まれるようになる（図５の（ｃ）において符号２４ｊ，２４ｊで示したような状態）。補助杭案内部３０，３０は管状であって楔状板状部２０，２０よりも断面積（水平断面で見た断面積）が大きいけれども、補助杭案内部３０，３０が湾曲しその下端部が外向きに傾斜しているので、各補助杭案内部３０の下端開口３９の外周面自体が楔形形状を呈するから地面Ｅに入り易く、且つ各補助杭案内部３０の下端面３６が隣接する楔状板状部２０の楔状前縁部２４と同じ向きに傾斜しているので、補助杭案内部３０が大きな抵抗になることなく地中Ｅ１に打込まれ得る。
【００７１】
アンカー杭２に更なるＦ１方向打込み力が加えられると、アンカー杭２は、図５の（ｄ）及び（ｅ）に示したように、中央管状部１０、楔状板状部２０，２０及び補助杭案内部３０，３０の大半の部分が地中Ｅ１に入り込む。このとき、補助杭案内部３０，３０が管状であり、孔３４があることから、該補助杭案内部３０，３０の外表面により囲まれる横断方向断面積が比較的大きいにもかかわらずその実効断面積が比較的小さいので、その打込み抵抗は比較的小さい。このとき土壌の一部は、補助杭案内部３０，３０の孔３４，３４内に入り込むことにより、打込み抵抗を低減させる。但し、補助杭案内部３０，３０の下端開口が斜めに開き且つ案内部３０，３０が湾曲しているので、該孔３４，３４内に土壌が硬く詰まった状態で入り込む虞れは少ない。更に、補助杭案内部３０，３０の孔３４，３４は上端が開口しているので、該孔３４，３４内に入った土壌が該孔３４，３４内で固く詰まる虞れも少ない。
【００７２】
このようなアンカー杭２の打込みは、典型的には、アンカー杭２の本体４の下端、すなわち中央管状部１０の下端が基準杭６０の下端と実際上一致する深さに達し、基準杭６０の上端部がアンカー杭２の上端から突出するような所定深さにアンカー杭２が打込まれるまで行われる（例えば、図６参照）。
【００７３】
なお、アンカー杭２が基準杭６０に一致する深さに達したことは、アンカー杭２の打込みに対する抵抗が、急に増加することにより、わかる。但し、基準杭６０の打込み深さやアンカー杭２の打込み深さは、それらの地上露出部分の長さを厳密に監視したり計測することにより、管理され得る。
【００７４】
次に、補助杭３，３の打込みを行う。
【００７５】
補助杭３の打込みに際しては、まず、補助杭３をその先端５３側からアンカー杭２の対応する案内管部３０内に挿入する。なお、アンカー杭２の打込みの際に、比較的多くの土壌が案内管部３０の孔３４内に入り込んでいるときには、補助杭３を案内管部３０の孔３４内に僅かしか挿入できないので、圧縮空気又は圧縮窒素ガスの如き圧縮気体により孔３４内の土壌を吹き飛ばす。そのためには、例えば、基端側が圧縮気体ボンベの如き圧縮気体源につながった細い可撓性チューブの先端を案内管部３０の孔３４内に上端側から入るところ（深さ）まで挿入し、圧縮気体を該可撓性チューブの先端開口から噴出させて土壌を吹き飛ばし、案内管部３０の孔３４の上端開口３７から圧縮気体と共に吹出させる。
【００７６】
この圧縮気体ボンベ７１及び圧縮気体送給用可撓性チューブ７２は図６に示したようなものである。
【００７７】
案内管３０の孔３４内の土壌の除去が実際上完了したら、可撓性チューブを案内管３０から一旦抜き、該案内管３０の孔３４内に補助杭３を挿入する。これにより、補助杭３は、その先端部５３が案内管３０の下端３６の近傍まで挿入され、先端部５３が地中Ｅ１の土壌に当たる（図６の（ａ）参照）。
【００７８】
次に、円弧状に湾曲した管状補助杭３の側壁の孔５６から円弧状孔５７内に圧縮気体送給用可撓性チューブ７２を奥まで挿入する。これにより、チューブ７２は、補助杭３のパイプ５０内の孔５７においてその先端部５３まで差し込まれる。このような差込状態において、弁７３を開いて圧縮気体Ｇをボンベ７１からチューブ７２を介して、その先端開口７４（パイプ５０が少し打込まれた状態を拡大して示した図６の（ｂ）参照）からＨ１方向に噴出させる。この圧縮気体Ｇの噴出により、補助杭３を構成するパイプ５０の先端開口５９の近傍すなわち案内管３０の先端開口３９の近傍にある未掘削の土壌の一部又は相当部分が抉られ巻上げられて、圧縮気体と共に、補助杭３のパイプ５０を通って該補助杭３のパイプ５０の上端開口５８から吹出されることにより、除去され、地中Ｅ１に空所Ｋが形成される。一方、補助杭３のパイプ５０の上端部５１をハンマー等の打込み工具でほぼＦ１方向に叩く。補助杭５０の上端部５１に加えられるほぼＦ１方向の力及び圧縮気体による先端部５３近傍の土壌の部分的除去及び弱化に伴う空所Ｋの形成によって、補助杭３のパイプ５０は、おおまかにはほぼ直線状の案内管３０に沿ってＦ１方向に押込まれる。なお、案内管３０及び補助杭３用のパイプ５０は大きな曲率半径とはいえ多少湾曲しているので、該湾曲に応じた円弧すなわち中心軸線Ｃ１に沿って、Ｊ１方向に押込まれる。
【００７９】
以上のような圧縮気体ＧのＨ１方向の噴出及びＨ２方向への土壌を巻き込んだ吹出しとパイプ５０のＪ１方向への打込みとは、同時に行われても、一方が連続的に行われている最中に他方が間欠的に行われても、交互に間欠的に行われてもよい。
【００８０】
圧縮気体Ｇの噴出とパイプ５０の打込みとにより、案内管３０の中心軸線Ｃ１により規定される円弧に沿って、補助杭３たるパイプ５０の打込みを行う。このようなパイプ５０の打込みは、パイプ５０のチューブ７２の挿入孔５６が案内管３０の上端部３５に達するまで継続される。
【００８１】
なお、補助杭３即ちパイプ５０は円弧状に湾曲しているので、以上のような補助杭３用のパイプ５０の打込みに際して、アンカー杭２の一方の案内管３０に補助杭３用のパイプ５０が既に挿設され打込まれた状態であっても、案内管３０，３０の間の最近接間隔よりも近付くことがないから、他方の案内管３０を介する補助杭３用のパイプ５０の打込みの邪魔になる虞れがない。
【００８２】
図３や図６の（ａ）では、パイプ５０の孔５７がパイプ５０の上端部５１から相当離れているかの如く示されているけれども、パイプ５０の上端５１の近傍の機械的強度が保たれ得る限り、孔５７は上端部５１の近傍にあればよい。また、所望ならば、ピン挿通孔５５自体が、チューブ挿通孔５６として利用されてもよい。その場合、チューブ挿通孔５６はパイプ５０の上端５１に近接したところに位置し得る。
【００８３】
チューブ７２を抜いたあと、最後に、一叩きか二叩きして、パイプ５０をＪ１方向に押込むことにより、補助杭３を構成するパイプ５０が所定深さまで挿入され、パイプ５０のピン挿通孔５５が案内管３０のピン挿通孔３８に一列になるところまで、パイプ５０が打込まれ得る。この最後の打込み分は、補助杭３を比較的強固に地中Ｅ１に打込むのにも役立つ。
【００８４】
以上のような補助杭３としてのパイプ５０の打込みは、各パイプ５０，５０について独立に行われる。従って、例えば、多数の切欠を備えて折れ線状に折れ曲がる一対の板状部を備えるタイプの拡張アンカーとは異なり、その打込みは、容易に行われ得る。また、各パイプ５０，５０の打込みに際して該パイプ５０，５０に過度の打込み力を加える必要がないので、各パイプ５０，５０は、実際上、当初の湾曲形状をそのまま維持し得る。従って、各パイプ５０，５０が対応する案内管３０，３０の側壁の一部に強く押付けられる可能性が低くなるので、各パイプ５０，５０は、それに対応する案内管３０，３０に多少なりとも遊嵌された状態になる。
【００８５】
各パイプ５０，５０は、対応する案内管３０，３０に、整列したピン挿通孔５５，３８に挿入されるボルト・ナット組立体のような係止ピン６によって係止される。
【００８６】
以上のようにして、アンカー杭２及び補助杭３，３の打込みが完了した状態が、図７の（ａ）及び（ｂ）に示されている。
【００８７】
なお、以上においては、畑等とはいえ地盤が比較的硬い場合を考慮して補助杭３，３の打込みに圧縮気体を利用することを想定したけれども、ビニールハウス等が建てられるべき土地の地盤が軟らかい畑や砂地田である場合、補助杭３，３として中空パイプの代わりに先端が比較的尖った中実な円柱状棒状体を用い、所望の打込み手段で正円弧状湾曲案内路に沿って打込むようにしてもよい。
【００８８】
次に、基準杭６０を抜く。基準杭６０は、アンカー杭２の打込みに際して、その打込み位置（場合によっては更に打込み深さも）を規定するためのもので、アンカー杭２を含む杭構造体１の引き抜き抵抗付与には直接的には寄与しないから、次の杭構造体１の打込みに利用するために、抜き取られるけれども、所望ならば、残しておいてもよい。
【００８９】
基準杭６０の引き抜きに際しては、アンカー杭２の上端部から露出した基準杭６０の上端部近傍の貫通孔Ｎにピン等を挿通し、該ピンの両端を引上げる。なお、基準杭６０の引き抜きは他の手段によって行ってもよい。
【００９０】
基準杭６０の引抜の完了により、杭構造体１の所定位置への打込みが完了する。この打込み完了状態が、図８の（ａ）及び（ｂ）に示されている。
【００９１】
この杭構造体１では、アンカー杭２に加えて該アンカー杭２に係止された補助杭３，３が木の根の如く横に張出し且つ補助杭３，３がアンカー杭２に係止されているので、Ｆ２方向の引張りに対する抵抗すなわち抜けに対する抵抗が大きい。なお、前述のように、補助杭３，３が棒状乃至パイプ状であり一本づつ打込み可能であるからその打込みが容易であるにもかかわらず、抜け抵抗が大きくなっている。
【００９２】
また、杭構造体１では、補助杭３，３がアンカー杭２の対応する案内管３０，３０に対して遊嵌され（図８では誇張して間隙ＳＧを示してあるけれども例えば小さい間隙が少なくとも一側にある）且つピンのような係止具６によって係止されているだけであるから、アンカー杭２に対してその支持板状部４０等から振動その他の外力がかかっても、その外力が直接的には補助杭３，３に伝わらない。従って、アンカー杭２に対してその支持板状部４０等から振動その他の外力がかかっても、補助杭３，３の脚部が地中Ｅ１で激しく振動したりする虞れが少ない。その結果、補助杭３，３の脚部の周囲の土壌中に空隙や土壌の密度の低い部分が生じる虞れ、その引抜抵抗が徐々に低下する虞れが少なく、支持板状部４０等に突然大きな抜け応力がかかって、杭構造体１が抜ける虞れが少ない。
【００９３】
更に、杭構造体１では、その中央部に板状の楔状部２０，２０を備えるので、中心軸線Ｃのまわりのねじり応力を受けても、該応力により、杭構造体１がねじられる虞れが少ない。
【００９４】
以上において、例示した各部分の大きさは、一例であり、適用地盤の状況により異なり得る。すなわち、杭構造体１は、典型的には、畑等においてパイプを組んで形成されるビニールハウスの如きパイプハウスの支柱を支える基礎杭として用いられるけれども、より軟らかい軟弱地盤の場所（例えば、軟らかい地盤の畑や砂地の田や埋立畑や軟弱地盤の荒地等）に建てられるビニールハウスの如きパイプハウス等の基礎杭として用いられてもよい。また、場合によっては、その逆に、より硬質地盤の場所（例えば、固い地盤の荒地やグランド等）に建てられるイベント用のテントの基礎杭として用いられてもよい。
【００９５】
地盤の硬さがより硬いほど、アンカープレート杭２の基礎杭となる中央円筒状部１０はより小径に且つより短く形成される。従って、地盤の硬さがより硬いほど、基準杭６０を構成するガイドピン６１もより短くなる。なお、ガイドピン６１は通常十分に細いので基準杭６０の外径は典型的にはフィンないしリブ部６２の径方向長さを短くすることにより調整される。また、地盤の硬さがより硬いほど、円弧状案内管部３０も、その外径がより小さく且つその長さがより短かくなるように選択される。従って、ある程度の水平方向への張り出しを確保し得るように、円弧状案内管部３０の円弧の曲率半径は、地盤の硬さがより硬いほど、より小さくなるように選択される。従って、円弧状の打込み杭ないし補助杭３も、地盤の硬さがより硬いほど、より小径でより短くなるように且つ円弧の曲率半径がより小さくなるように選択される。
【００９６】
また、杭構造体１を構成するアンカー杭２及び補助杭３並びに基準杭６０は、典型的には、鋼製で外表面に錆止め処理が施されている。錆止め処理は、亜鉛メッキのようなメッキでもよいけれども、繰返し使用を可能にするためには、錆止めをより確実にする表面処理が行われることが好ましい。
【００９７】
以上のような杭構造体１は、ビニールハウスＱに適用した例が、図９に示されている。
【００９８】
ビニールハウスＱの側壁Ｑ１は、支柱Ｑ２と梁Ｑ３とを含む。図９では、支柱Ｑ２として、三本の支柱Ｑ２１，Ｑ２２，Ｑ２３が示され、梁Ｑ３として、三本の梁Ｑ３１，Ｑ３２，Ｑ３３が示されている。各支柱Ｑ２１，Ｑ２２，Ｑ２３に対応する地面部分には、杭構造体１（より詳しくは、同一構造・形状の杭構造体１Ａ，１Ｂ，１Ｃ）が打込まれている。すなわち、杭構造体１Ａは支柱Ｑ２１を支え、杭構造体１Ｂは支柱Ｑ２２を支え、杭構造体１Ｃは支柱Ｑ２３を支える。この例では、例えば、支柱Ｑ２の下端部が対応する杭構造体１の中央円柱状部１０の上端開口に嵌合されている。勿論、その代わりに、支持板状体４０の如き支持体部分４０に支柱Ｑ２の下端部が固定されるようになっていてもよく、杭構造体１の支持体部分４０は、杭構造体１のアンカー杭２の中央管状部１０及び一対の楔形板状部２０，２０の全体を強固に支え得る限り、支柱Ｑ２の下端部の支持に適する形状・構造を有し得る。支柱Ｑ２の下端部を杭構造体１の支持体部分４０による支持に適する形状・構造にしておいてもよい。なお、杭構造体１は、一対の楔形板状部２０，２０の張り出し方向に拡がったほぼ二次元構造・形状を有するので、該二次元面に沿う方向の外力に対する抵抗と比較して、該二次元面に対して垂直な方向の外力に対する抵抗が小さいので、図９の例では、一部の杭構造体１Ｂを隣接する杭構造体１Ａ，１Ｃに対して９０度（中心軸線Ｃのまわりで）回転させた向きに配置してある。これにより、杭構造体１Ａ，１Ｂ，１Ｃ，・・・が全体として、種々の方向の外力に対して強い抵抗・支持強度を備え得る。勿論、側壁Ｑ１にかかる外力の向きを考慮して、例えば、側壁Ｑ１の支柱Ｑ２を支える杭構造体１のうち過半数の杭構造体を例えば杭構造体１Ｂと同様な向きに配置してもよい。勿論、杭構造体１は、９０度該回転させる代わりに、９０度未満の複数種類の所望角度回転されていてもよい。
【００９９】
なお、杭構造体は、中心軸線Ｃを含む一平面に沿って（即ち中心軸線Ｃを中心として一つの直径方向に）、一対の楔形板状部２０ａ，２０ｂ及び案内管部３０ａ，３０ｂ並びに補助杭３ａ，３ｂを備える代わりに、中心軸線Ｃのまわりに、三本以上の補助杭等を備えていてもよい。
【０１００】
例えば、杭構造体は図１０の（ａ）及び（ｂ）に符号１Ｔで示したように、中心軸線Ｃのまわりに、周方向に９０度の角度間隔で、四本の補助杭３ａ，３ｃ，３ｂ，３ｄを備えていてもよい。
【０１０１】
この杭構造体１Ｔは、図１から図９に示した杭構造体１と比較して、一対の楔形板状部２０ａ，２０ｂ及び案内管部３０ａ，３０ｂ並びに補助杭３ａ，３ｂに加えて、これらが形成する平面（図１０の（ｂ）を表した平面）に対して直交し中心軸線Ｃを含む平面（図１０の（ｂ）の図示平面に対して直角で中心軸線Ｃを含む平面）に沿って、一対の楔形板状部２０ｃ，２０ｄ及び案内管部３０ｃ，３０ｄ並びに補助杭３ｃ，３ｄを備える点を除き、杭構造体１と同様に構成されている。楔形板状部２０ｃ，２０ｄと中央管状部１０との接合は、楔形板状部２０ａ，２０ｂと中央管状部１０との接合と同様に行われている。なお、図１０では、基準杭６０も示してある。
【０１０２】
図１０において、図１から図９までに示したものと同一の部材や要素には同一の符号が付され、対応するけれども異なるところのある部材や要素には添字Ｔが付されている。また、杭構造体１において符号ａ，ｂで示した要素と同様で直交する方向に付加された要素には上述のように符号ｃ，ｄが付されている。
【０１０３】
この杭構造体１Ｔでは、一対の補助杭３ａ，３ｂ等により形成される平面に対して直角な向きに一対の補助杭３ｃ，３ｄ等が設けられているので、いずれの方向に横向きの力がかかっても、該横向きの力に対しても、被支持体を強固に保持し得る。また、木の根の如き補助杭が二方向ではなく四方に拡がっているので、引抜力などに対する抵抗もより大きくなる。
【０１０４】
以上においては、補助杭が、丸パイプ５０からなる例について説明したけれども、補助杭３Ｌは、図３の（ｄ）に示したように、横断面形状が矩形の角パイプ５０Ｌであっても、更に異なる横断面形状のパイプであってもよい。矩形は、典型的には、正方形であるけれども、所望ならば、長方形であってもよい。その場合、当然ながら、アンカー杭２の案内パイプ部３０も横断面が矩形の孔を備えたパイプ、典型的には、矩形パイプからなる。形状以外の点は、前述の場合と同様に形成される。
【０１０５】
また、畑のような比較的軟弱な地盤に打込まれる場合、補助杭は、パイプ即ち中空体からなる代わりに、中実な棒であってもよい。その場合、補助杭３Ｍは、典型的には、図３の（ｅ）に示したように横断面が円形の丸棒５０Ｍからなる。この場合も、補助杭３Ｍが角棒等のように、円形とは異なる横断面であってもよい。アンカー杭２の案内パイプ３０の孔が補助杭とほぼ相補的形状に形成されるべきことは、前述のとおりである。
【０１０６】
以上においては、補助杭が中空の又は中実な棒状である例について説明したけれども、打込まれるべき地盤が畑の如く軟弱な地盤からなる場合、補助杭は、棒状である代わりに、細長い板状であってもよい。
【０１０７】
すなわち、例えば、杭構造体１Ｕは、図１１の（ａ）〜（ｄ）に示したような構造であってもよい。
【０１０８】
図１１の杭構造体１Ｕにおいて、図１から図８に示した杭構造体１の要素や部位と同様な要素や部位には同一の符号が付され、部分的に異なる箇所のある要素や部位には、最後に添字Ｕが付されている。
【０１０９】
杭構造体１Ｕでは、補助杭３Ｕは、円弧状に湾曲した細長い板状部８０と、該板状部８０の大径側表面８１の幅方向中央部に沿って円弧状に形成されたＶ字状係合部８２とからなる。Ｖ字状係合部８２は、Ｖ字状凹部８３を形成する二つの脚部８４，８５と凹部８３の開口８６を狭める先端係止部８７，８８とを有する。
【０１１０】
杭構造体１Ｕでは、アンカー杭２Ｕの杭本体４Ｕのうち、円弧状湾曲Ｖ字状案内部９０，９０が杭構造体１の該当部分３０，３０と異なり、管状の代わりに、Ｖ字状に形成される。アンカー杭２Ｕの杭本体４Ｕのうち中央管状部１０及び楔形板状部２０，２０は、杭構造体１の該当部分と同様である。
【０１１１】
Ｖ字状案内部９０は、横断面がＶ字状の二つの脚部９１，９２からなり、Ｖの凹部９３が楔形板状部２０の円弧状側縁部２３に溶接等により固着されている。
【０１１２】
Ｖ字状案内部９０のＶ字状の脚部９１，９２には、補助杭３ＵのＶ字状係合部８２が係合される。補助杭３Ｕの上端を振動式打込み機で叩くと、Ｖ字状案内部９０のＶ字状の脚部９１，９２にＶ字状係合部８２で係合された、補助杭３Ｕが案内部９０の円弧に沿ってＪ１方向に打込まれる。この場合、補助杭３ＵのＶ字状係合部８２は、補助杭３Ｕの剛性を高める役割も果たす。この補助杭３Ｕは、補助杭３と比較して断面積が大きくなることから、畑のような軟弱地盤への打込みに適する。
【０１１３】
この場合も、補助杭３Ｕが中心軸線Ｃの直径方向に対向する二箇所（周方向に１８０度間隔をおいた箇所）に設けられる代わりに、三箇所以上に、典型的には周方向に等間隔に設けられてもよい。但し、等間隔でなくてもよい。
【０１１４】
具体的には、例えば、図１２の（ａ）及び（ｂ）に示した杭構造体１Ｗでは、補助杭３Ｕが周方向に９０度間隔で四箇所に設けられている。換言すれば、杭構造体１Ｗは、補助杭がパイプ５０の形態の補助杭３から細長い板状部８０とＶ字状係合部８２とからなる補助杭３Ｕに変更され、且つ案内部がパイプ部３０からＶ字状案内部９０に変更されている点を除き図１０に示した杭構造体１Ｔと同様な構造を有する。
【０１１５】
図１２に示した杭構造体１Ｗにおいて、図１０の杭構造体１Ｔと同様な要素や部位には同一の符号が付され、異なる箇所のある要素や部位には対応する添字が付されている。
【０１１６】
この杭構造体１Ｗは、杭構造体１Ｕと杭構造体１との差異及び杭構造体１Ｔと杭構造体１との差異に応じた特徴を有することは明らかであるから、その説明は省く。
【０１１７】
なお、アンカー杭の補助杭案内部と補助杭との係合は、補助杭の打込みに際して補助杭の円弧状形状を保ちつつ補助杭を円弧に沿ってＪ１方向に案内し得、且つ地中への打込みに際して打込み抵抗を最低限に抑え得る限り、どのような形態・形状でもよい。
【０１１８】
以上においては、補助杭案内部が正円弧状に湾曲した管状のパイプ５０や正円弧状に湾曲したＶ字状湾曲部９０等からなる例について説明したけれども、案内部は、その代わりに、主として、板状部２０の正円弧状湾曲縁部２３自体によって形成されていてもよい。
【０１１９】
このような杭構造体１Ｙの一例が、図１３の（ａ）〜（ｃ）に示されている。杭構造体１Ｙにおいて、杭構造体１等と同様な要素ないし部位には同一の符号が付され、部分的に異なるけれども対応する要素ないし部位には添字Ｙが付されている。
【０１２０】
図１３に示した杭構造体１Ｙは、板状部２０Ｙの正円弧状湾曲縁部２３Ｙを覆うように板状部２０Ｙの両主面２６，２７に溶接等で固着された角筒１３０を含む。角筒１３０は、筒壁を構成する壁板部１３１，１３２，１３３，１３４，１３５を備える角筒本体１３６を有する。角筒本体１３６では、壁板部１３１の両縁に壁板部１３２，１３３が一側縁で溶接等により固着され、壁板部１３２，１３３の他側縁に壁板部１３４，１３５が一側縁で溶接等により固着されている。勿論、溶接等の代わりに折曲や成形等他の手段で角筒状に形成されていてもよい。壁板部１３４，１３５は同一平面上に位置し、夫々の他側縁で板状部２０Ｙの主面２６，２７に溶接等で固着されている。角筒本体１３６は、中心軸線Ｃと平行に上下方向に延び、その横断面形状は長さ方向の部位によらず実際上一定である。角筒本体１３６の上端部には、上部位置決め規制板部１３７が固定されている。上部位置決め規制板部１３７の内縁部１３７ｎは、板状部２０Ｙの正円弧状湾曲縁部２３の上端部２３ｕと協働して、補助杭３Ｙを上部で位置決めする上部案内部１４１として働き、角筒本体１３６の壁板部１３１の下端部１３１ｓは板状部２０Ｙの正円弧状湾曲縁部２３Ｙの下端部２３ｓと協働して、補助杭３Ｙを下部で位置決めする下部案内部１４２として働く。従って、この例では、案内部１４０は、より厳密には、上部案内部１４１及び下部案内部１４２と、その中間の実際上全域を占める湾曲縁部２３Ｙの中間部２３ｍとからなる。なお、内縁部１３７ｎを備える限り、規制板部１３７と外側壁板部１３１との間には、土壌の通過を許容する間隙ないし開口が形成されていてもよい。場合によっては、壁板部１３２，１３３が補助杭３Ｙの水平方向への位置ズレを規制するような間隔であってもよく、また、土壌の容易な通過を許容し得るように、壁板部１３２，１３３と補助杭との間には隙間が残るようにしておくと共に且つ壁板部１３２，１３３の内面に上下方向に間隔をおいて位置規制用突起部を設けておいてもよい。
【０１２１】
杭構造体１Ｙでは、補助杭３Ｙを構成する長尺体は、正円弧状に湾曲した円筒状パイプ１５０の形態で且つ内縁（曲率半径の大きい側の縁部）に沿ってスリット１５１を備える。スリット１５１の幅は板状部２０Ｙの主面２６，２７間の厚さと同程度で、このスリット１５１の両縁部１５２，１５３が板状部２０Ｙの両主面２６，２７にぼほ摺接可能である。杭構造体１Ｙは、支持板状部４０と同様な所望形状の支持部（図示せず）を備える。
【０１２２】
以上のように構成された杭構造体１Ｙでは、角筒部１３０が中心軸線Ｃと平行に上下方向に延びているので、杭構造体１等のように比較的大径の湾曲した案内管部５０を備える場合と比較して、Ｆ１方向の打込みに対する抵抗が小さいから、その打込みがより容易になる。
【０１２３】
なお、図１３では、板状部２０Ｙの楔形前縁部２４にナイフエッジ状のテーパが形成され、また中央円筒状部１０の下端部にもナイフエッジ状のテーパが形成されている。なお、このようなテーパは勿論図１から図１２までの例の楔形板状部や中央円筒状部１０においても同様に形成され得る。
【０１２４】
また、杭構造体１Ｙにおいて、アンカー杭２Ｙの打込み後に、補助杭３Ｙを打込む場合、板状部２０Ｙの湾曲縁部２３Ｙが正円弧状湾曲パイプ１５０の内面の外側湾曲面１５４に実際上摺接し且つスリット１５１の両縁部１５２，１５３が板状部２０Ｙの両主面２６，２７を挟んで該主面２６，２７にほぼ摺接するように、正円弧状湾曲パイプ１５０のスリット１５１の下端部を板状部２０Ｙに嵌め、正円弧状湾曲パイプ１５０を板状部２０Ｙの円弧状縁部２３に沿ってＪ１方向に押込む。これにより、正円弧状湾曲パイプ１５０は、角筒１３０の上端においては、上端案内部１４１により位置決めされ、角筒の下端においては下端案内部１４２により位置決めされ、その中間部分では円弧状縁部２３の中間部分２３ｍによって位置決めされた状態で、角筒１３０及び板状部２０Ｙの湾曲縁部２３の間で、Ｊ１方向に延びた状態を採る。なお、角筒１３０の下端に補助杭３Ｙの下端が達する前に、角筒１３０内に入り込んだ土壌により補助杭３Ｙの押込みが妨げられる場合には、補助杭３Ｙの上端を軽く叩いて、補助杭３Ｙの打込む。補助杭３Ｙ（正円弧状湾曲パイプ１５０）が上端及び下端案内部１４１，１４２並びに中間円弧状部分２３ｍで支持・案内されるようになると、その後は、補助杭３Ｙは、上端及び下端案内部１４１，１４２並びに中間円弧状部分２３ｍで支持・案内された状態で、Ｊ１方向に打込まれる。打込みは、振動式の杭打ち機によって行っても、他のハンマー手段その他の任意の杭打ち手段で行ってもよい。
【０１２５】
中心軸線Ｃと平行に上下方向に延びる筒体を用いる場合でも、補助杭を構成する長尺体が円筒状パイプの如く棒状（中空又は中実）の代わりに、幅の狭い帯状（板状）であってもよい。そのような杭構造体１Ｚの一例を図１４の（ａ）〜（ｃ）に示す。杭構造体１Ｚにおいて、杭構造体１や１Ｙ等と同様な要素ないし部位には同一の符号が付され、部分的に異なるけれども対応する要素ないし部位には添字Ｚが付されている。
【０１２６】
杭構造体１Ｚは、長尺体として、スリット付湾曲円筒状パイプ１５０の代わりに、正円弧状に湾曲した幅の狭い板状体１６０からなる補助杭３Ｚを有する。補助杭３Ｚを構成する板状体１６０は、内面１６１（曲率半径の大きい方の表面）で楔形板状体２０Ｚの正円弧状湾曲縁部２３Ｚに該湾曲縁部２３Ｚの実質的に全長に亘ってほぼ摺接する。湾曲縁部２３Ｚの上端２３ｕが角筒１３０の上端規制部材１３７の内縁１３７ｎとの間で当該高さ位置にある板状体１６０の部分の水平方向の位置を規定し、且つ湾曲縁部２３Ｚの下端２３ｓが角筒１３０の壁板部１３１の下端１３１ｓとの間で当該高さ位置にある板状体１６０の部分の水平方向の位置を規定することは、杭構造体１Ｙの場合と同様である。すなわち、杭構造体１Ｚでも、部位２３ｕ及び１３７ｎが上端案内部１４１Ｚとして働き、部位２３ｓ及び部位１３１ｓが下端案内部１４２Ｚとして働く。また、この場合も、補助杭３Ｚの打込みの間、湾曲縁部２３Ｚの中間部分２３ｍが上端案内部１４１Ｚと下端案内部１４２Ｚとの間に位置する板状体１６０の部分の位置を規制する。更に、この杭構造体１Ｚでは、角筒１３０の本体部１３６を構成する側壁部１３２及び１３３が板状体１６０の両側縁部の水平方向位置を規制する。従って、これらの全体が、案内部１４０Ｚを構成する。なお、土壌の自由な通過を許容し得るように側壁部１３２，１３３の間隔を板状体１６０の幅よりも大きくしておき、側壁部１３２，１３３に間隔をおいて水平方向位置規制用の突起部を形成しておいてもよい。杭構造体１Ｚは、支持板状部４０と同様な所望形状の支持部（図示せず）を備える。
【０１２７】
この杭構造体１Ｚにおいても、角筒１３０が一定の横断面形状を有し上下方向に平行に延びているので、杭構造体１Ｙの場合と同様にアンカー杭２ＺのＦ１方向の打込みが容易に行われ得ることは明らかであろう。また、この場合、湾曲板状体１６０は、内面１６１において部位２３ｕ、部位２３ｍ及び部位２３ｓの全体に亘って主たる案内部として働く湾曲縁部２３Ｚによって位置決めされてＪ１方向に案内されること、該案内に際して、外面１６２（曲率半径の小さい方の表面）において部位１３７ｎ及び部位１３１ｓにより位置規制・案内されると共に側面１６３，１６４において壁部１３２，１３３により位置規制・案内されることも明らかであろう。従って、まず、アンカー杭２Ｚの打込みを行い、その完了後、補助杭３Ｚ，３Ｚを打込むことにより、杭構造体１Ｚの打込みが行われ得る。
【０１２８】
なお、杭構造体１Ｙや１Ｚにおいて、筒１３０は、横断面が矩形である代わりに、横断面が円形その他の形状でもよい。また、補助杭３Ｚの数は三本以上でもよい（当然ながら楔形板状部２０Ｚや筒１３０等も同数設けられる）。更に、例えば、図１〜図８に示した杭構造体１においても、内周面が案内部３を構成するパイプ５０の外表面が円弧状に湾曲する代わりに、中心軸線Ｃと平行な方向に直線状に延びた横断面形状・大きさが一定の筒の形態であってもよい（内周面が案内経路としての正円弧状孔３４を備えればよい）。
【図面の簡単な説明】
【０１２９】
【図１】本発明の好ましい一実施例の杭構造体の斜視説明図。
【図２】図１の杭構造体を構成するアンカー杭を示したもので、（ａ）は平面説明図、（ｂ）は正面説明図（但し、右側の案内管部は断面で示されている）。
【図３】図１の杭構造体を構成する補助杭を示したもので、（ａ）は平面説明図、（ｂ）は正面説明図、（ｃ）は右側面説明図、（ｄ）は一変形例の補助杭の断面形状を示した説明図、（ｅ）は別の変形例の補助杭についての（ｄ）と同様な説明図。
【図４】図１の杭構造体の打込みの際に位置決めに用いられる基準杭を示したもので、（ａ）は平面説明図、（ｂ）は正面説明図（但し、基準杭の頭部は斜視状態で示されている（以下同））。
【図５】図１の杭構造体を地面に打込む際の打込み手順の一部を示したもので、（ａ）及び（ｂ）は基準杭の打込み段階を示した平面説明図及び正面説明図、（ｃ）は基準杭の打込み後のアンカー杭の嵌込み段階を示した正面断面説明図、（ｄ）及び（ｅ）はアンカー杭の打込み段階における打ち込み途中の状態を示した平面説明図及び正面断面説明図。
【図６】図１の杭構造体を地面に打込む際の打込み手順の一部をなす補助杭の打込み段階を示したもので、（ａ）は全体の斜視説明図、（ｂ）は補助杭の先端部の打込み状況を示した断面説明図。
【図７】図１の杭構造体を地面に打込む際の打込み手順の一部をなす補助杭の打込み段階が完了した状態を示したもので、（ａ）は平面説明図、（ｂ）は正面断面説明図。
【図８】図１の杭構造体の地面への打込みが完了した状態を示したもので、（ａ）は平面説明図、（ｂ）は一部を断面で示した正面説明図。
【図９】図１の杭構造体を用いたビニールハウスの支持構造を示した正面断面説明図。
【図１０】本発明の一変形例の杭構造体を示したもので、（ａ）は平面説明図、（ｂ）は正面断面説明図。
【図１１】本発明の別の変形例の杭構造体を示したもので、（ａ）及び（ｃ）はアンカー杭と補助杭との係合状態を示した平面説明図、（ｂ）はアンカー杭の平面説明図、（ｄ）は杭構造体の斜視説明図（但し、補助杭を想像線で示してある）。
【図１２】本発明の更に別の変形例の杭構造体を示したもので、（ａ）は平面説明図、（ｂ）は斜視説明図。
【図１３】本発明の更に別の変形例の杭構造体を示したもので、（ａ）は杭構造体の正面説明図（但し、右半分は断面で示した）、（ｂ）は（ａ）のＸＩＩＩＢ−ＸＩＩＩＢ線断面説明図、（ｃ）は（ａ）のＸＩＩＩＣ−ＸＩＩＩＣ線断面説明図。
【図１４】本発明の更に別の変形例の杭構造体を示したもので、（ａ）は杭構造体の正面説明図（但し、右半分は断面で示した）、（ｂ）は（ａ）のＸＩＶＢ−ＸＩＶＢ線断面説明図、（ｃ）は（ａ）のＸＩＶＣ−ＸＩＶＣ線断面説明図。
【符号の説明】
【０１３０】
１，１Ａ，１Ｂ，１Ｃ，１Ｔ，１Ｕ，１Ｗ，１Ｙ，１Ｚ  杭構造体
２，２Ｔ，２Ｕ，２Ｗ，２Ｙ，２Ｚ  アンカー杭
３，３ａ，３ｂ，３ｃ，３ｄ，３Ｌ，３Ｍ，３Ｕ，３Ｕａ，３Ｕｂ，３Ｕｃ，３Ｕｄ，３Ｙ，３Ｚ  補助杭
４，４Ｔ，４Ｕ，４Ｗ，４Ｙ，４Ｚ  杭本体
６  抜止め用係止部材
１０  中央管状部
１１  外周面
１２ａ，１２ｂ  直径方向対向部位
１３  上端部
１４  下端開口部
１５  下端部
２０，２０ａ，２０ｂ，２０ｃ，２０ｄ，２０Ｙ，２０Ｚ  楔形板状部
２１，２１ａ，２１ｂ  上下方向長縁部
２２  水平方向上縁部
２３，２３Ｙ  湾曲外縁部
２３ｉ  外縁部の上部
２３ｍ  中間案内部
２３ｓ  下端
２３ｕ  上端
２４，２４ａ，２４ｂ  楔形前縁部
２５  湾曲部
２５ｕ  上端部
３０，３０ａ，３０ｂ，３０ｃ，３０ｄ  管状案内部
３１  円筒状パイプ
３２  大径側側縁部
３３  内周面
３４  円弧状案内孔
３５  上端面
３６  下端面
３７  上端開口
３８  ピン挿通孔
３９  下端開口（先端開口）
４０  支持板状部
４１  突出隅部
４２  中間凹状辺部
４３  板状体
４４  中央孔
４５  隅の孔
４６  中央部
５０，５０Ｌ，５０Ｍ  円弧状湾曲パイプ
５１  上端
５２  外縁
５３  先端部
５４  下端
５５  係止ピン挿通孔
５６  チューブ挿入孔
５７  孔
５８  上端開口
５９  下端開口
６０  基準杭
６１  基準杭本体
６２  リブ状部（フィン状部）
６２ｕ  上端面
６３  先端部（下端部）
６４  上端面
６５  傾斜面
６６  先端側端面
６７  地中挿入部分
６８  地上露出部
６９  凹部
８０  湾曲細長板状部
８２  Ｖ字状係合部
８３  Ｖ字状凹部
８４，８５  脚部
８６  開口
８７，８８  先端係止部
９０  円弧状湾曲Ｖ字状案内部
９１，９２  脚部
１３０  角筒
１３１，１３２，１３３，１３４，１３５  壁板部
１３１ｓ  下端
１３１ｕ  上端
１３６  角筒本体
１４０  案内部
１４１  上端案内部
１４２  下端案内部
１５０  スリット付湾曲パイプ
１５１  スリット
１５４  内面
１６０  正円弧状湾曲板状体
１６１，１６２  湾曲表面
１６３，１６４  側面
Ｃ，Ｃ１，Ｃ２，Ｃ５  中心軸線
Ｆ１  打込み方向
Ｈ１  噴出方向
Ｈ２  排出用吹出方向
Ｊ１  円弧状打込み方向
Ｋ  空所
【図１】
2007262686.tif 000003
【図２】
2007262686.tif 000004
【図３】
2007262686.tif 000005
【図４】
2007262686.tif 000006
【図５】
2007262686.tif 000007
【図６】
2007262686.tif 000008
【図７】
2007262686.tif 000009
【図８】
2007262686.tif 000010
【図９】
2007262686.tif 000011
【図１０】
2007262686.tif 000012
【図１１】
2007262686.tif 000013
【図１２】
2007262686.tif 000014
【図１３】
2007262686.tif 000015
【図１４】
2007262686.tif 000016